(57)【要約】【課題】マニュアルフォーカス操作でおおまかな合焦位置を設定し、設定後、この合焦位置含む測距範囲を自動で走査するオートフォーカス機能を有した撮像装置について、この合焦位置を含む測距範囲内に合焦点であると判断されるオートフォーカス評価値が得られなかった場合、撮影者が設定した合焦位置にフォーカシング用鏡枠が戻るならば、依然として合焦していない位置にフォーカシング用鏡枠を移動させ、ピントが外れた状態で撮影を行う可能性がある。【解決手段】手動操作で合焦位置を設定し、その合焦位置を含んだ測距範囲を自動で被写体を走査し、走査後、その特定の範囲に合焦点が検出されなかった場合は、焦点距離、Ｆ値、画像の解像度から、手動操作で設定した合焦位置を基準に、おおよそ合焦したと判断可能な範囲の最至近位置側にフォーカシング用鏡枠を停止させる。【選択図】図５
2010175928.tif 000002
【特許請求の範囲】
【請求項１】
合焦用レンズと、
該合焦用レンズを保持した合焦用鏡枠と、
該合焦用鏡枠を移動させる合焦用鏡枠移動装置と、
合焦手段と、
撮像素子と、
制御手段とを有した撮像装置であって、
該合焦手段は手動合焦手段と自動合焦手段とから構成され、
該手動合焦手段によって該合焦用鏡枠の停止位置を設定し、
該制御手段は
該撮像素子に結像された被写体の像を基に、該停止位置を含んだ被写体の測距範囲を算出し、
該合焦用鏡枠移動装置を作動させ、該合焦用鏡枠を該測距範囲に停止させることを特徴とした撮像装置。
【請求項２】
前記停止位置設定後、前記制御手段は前記合焦用鏡枠が前記測距範囲に到達したならば、前記自動合焦手段により前記測距範囲内において被写体を走査し、
被写体の略合焦したと判断できる範囲を検出し、該略合焦したと判断できる範囲に合焦点を検出し、
該合焦点に前記合焦用鏡枠を停止することを特徴とした請求項１記載の撮像装置。
【請求項３】
前記制御手段は前記測距範囲の前記略合焦したと判断できる範囲において前記合焦点を検出しなかったならば、前記合焦用鏡枠を前記略合焦したと判断できる範囲の最至近位置側に停止させることを特徴とした請求項１又は２に記載の撮像装置。
【発明の詳細な説明】
【技術分野】
【０００１】
本発明は撮像装置において使用される合焦点を検出する装置に関するものである。
【背景技術】
【０００２】
マニュアルフォーカス操作によるフォーカシング操作において、より迅速にかつ精度良くフォーカシング操作できることが望まれている。そのため、おおよそのフォーカシング操作をマニュアルフォーカス操作で行い、操作の精度が必要とされる合焦点近傍のフォーカシング操作をオートフォーカス操作で行う技術が特許文献１で示されている。
【先行技術文献】
【特許文献】
【０００３】
【特許文献１】特開２００４−９４１３０号公報
【発明の概要】
【発明が解決しようとする課題】
【０００４】
上記のマニュアルフォーカス操作後に行われる、合焦位置近傍のオートフォーカス操作において、走査後、合焦点であると判断されるオートフォーカス評価値が得られなかった場合、撮影者が設定した合焦位置にフォーカシング用鏡枠が戻るならば、依然として合焦していない位置にフォーカシング用鏡枠を移動させ、ピントが外れた状態で撮影を行う可能性がある。
【課題を解決するための手段】
【０００５】
上記課題を解決するため、本発明における第一の発明は、合焦用レンズと、該合焦用レンズを保持した合焦用鏡枠と、該合焦用鏡枠を移動させる合焦用鏡枠移動装置と、合焦手段と、撮像素子と、制御手段とを有した撮像装置であって、該合焦手段は手動合焦手段と自動合焦手段とから構成され、該手動合焦手段によって該合焦用鏡枠の停止位置を設定し、該制御手段は該撮像素子に結像された被写体の像を基に、該停止位置を含んだ被写体の測距範囲を算出し、該合焦用鏡枠移動装置を作動させ、該合焦用鏡枠を該測距範囲に停止させることを特徴とした撮像装置を提供することである。
【０００６】
また、第二の発明は、前記停止位置設定後、前記制御手段は前記合焦用鏡枠が前記測距範囲に到達したならば、前記自動合焦手段により前記測距範囲内において被写体を走査し、被写体の略合焦したと判断できる範囲を検出し、該略合焦したと判断できる範囲に合焦点を検出し、該合焦点に前記合焦用鏡枠を停止することを特徴とした請求項１記載の撮像装置を提供することである。
【０００７】
また、第三の発明は、前記制御手段は前記測距範囲の前記略合焦したと判断できる範囲において前記合焦点を検出しなかったならば、前記合焦用鏡枠を前記略合焦したと判断できる範囲の最至近位置側に停止させることを特徴とした請求項１又は２に記載の撮像装置を提供することである。
【発明の効果】
【０００８】
手動操作で合焦位置を設定し、その合焦位置を含んだ測距範囲を自動で被写体を走査し、走査後、その測距範囲に合焦点が検出されなかった場合は、焦点距離、Ｆ値、画像の解像度から、手動操作で設定した合焦位置を基準に、おおよそ合焦したと判断可能な範囲の最至近位置側にフォーカシング用鏡枠を停止させる。これにより、ＡＦ操作の高速化が図られる。
【図面の簡単な説明】
【０００９】
【図１】本発明のオートフォーカス機能を搭載したカメラ本体１の外観図である。
【図２】カメラ使用時の図である。
【図３】カメラ本体１後方の斜視図である。
【図４】カメラ本体１のブロック図である。
【図５】合焦操作のフロー図である。
【発明を実施するための最良の形態】
【００１０】
以下、本発明の実施例について図面を参照しながら説明する。
【００１１】
図１は本発明のオートフォーカス機能を搭載したカメラ本体１の外観図である。図２はカメラ使用時の図である。図３はカメラ本体１後方の斜視図である。図４はカメラ本体１のブロック図である。図５は合焦操作のフロー図である。
【００１２】
図１では、カメラ本体１において、電源用ボタン１ｂ、モードダイヤル１ｃ、レンズ鏡筒１ｆとシャッターボタン１ａとが配設されていることが示されている。レンズ鏡筒１ｆは沈胴状態である。カメラ本体１はマニュアルフォーカスとオートフォーカスとを選択可能な撮像装置である。また、モードダイヤル１ｃは、オートフォーカス制御を行うオートフォーカスモードと、撮影者のマニュアル操作による焦点調節を可能とするマニュアルフォーカスモードとを切り換えることが可能である。
【００１３】
図２では、カメラ本体１を使用しているときであり、レンズ鏡筒１ｆがカメラ本体１から繰り出された状態が示されている。
【００１４】
図３では、カメラ本体１を使用しているときであり、カメラ本体１後部に液晶モニター１ｅ、フォーカシング用ダイヤル１ｄが配設されていることが示されている。
【００１５】
図４はカメラ本体１のブロック図である。カメラ本体１にはカメラＣＰＵ４、フォーカシング用モータ２とドライバ５とが配設されている。カメラＣＰＵ４にはオートフォーカス処理部４ｂとマニュアルフォーカス処理部４ａとがある。
【００１６】
次に、機能の説明をする。
【００１７】
本実施例のオートフォーカス操作はコントラスト方式によって行われる。撮影者が手動操作で合焦位置を設定し、その合焦位置を含んだ測距範囲をカメラＣＰＵ４が算出する。その測距範囲を自動で走査し、走査した被写体の画像データを画像記録媒体に記録させる。
【００１８】
画像記録媒体に記録された被写体の画像データを読み出し、その画像のオートフォーカス評価値を求めるとともに、略合焦したと判断できる範囲である合焦範囲と、その合焦範囲内におけるオートフォーカス評価値が最適となる位置とを求める。
【００１９】
最適となるオートフォーカス評価値が得られなかった場合は、撮影者が手動操作で設定した合焦位置を基準として、合焦範囲の最至近位置側にフォーカシング用鏡枠３を停止させる。
【００２０】
図１において、カメラ本体１上面部に配設してある電源用ボタン１ｂを押圧することによりカメラ本体１内に電源が投入される。これによりカメラ本体１が通電状態になり、カメラ本体１に配設されているカメラＣＰＵ４から、レンズ鏡筒１ｆが繰り出される信号が送出され、レンズ鏡筒１ｆが光軸に略平行に被写体側に向かって繰り出される。そして、図２及び図３で示されている撮影可能状態になる。
【００２１】
以下、図５を用いて説明する。
【００２２】
カメラ本体１に配設されているモードダイヤル１ｃでマニュアルフォーカスモードを選択し、フォーカシング用ダイヤル１ｄを回動操作し、おおまかな合焦位置の設定操作をする。この回動操作に対応した信号がカメラＣＰＵ４内にあるマニュアルフォーカス処理部４ａに送出される。送出された信号に基づいて、このフォーカシング用ダイヤル１ｄの回動方向と回動操作量とに対応した処理がマニュアルフォーカス処理部４ａで行われる。
【００２３】
処理後、Ｓｔｅｐ１で示されるように、マニュアル操作によるおおまかな合焦位置が設定される。
【００２４】
おおまかな合焦位置の設定後、Ｓｔｅｐ２で示されるように、カメラＣＰＵ４において、この設定された合焦位置を基にフォーカシング用鏡枠３の設定停止位置が算出され、次に、この設定停止位置を基準とした測距範囲が算出される。そして、カメラＣＰＵ４から、フォーカシング用鏡枠３をこの測距範囲まで移動させる信号がドライバ５に送出される。
【００２５】
信号受信後、ドライバ５はフォーカシング用モータ２に電流を供給し、フォーカシング用モータ２を駆動させ、Ｓｔｅｐ３で示されるように、フォーカシング用鏡枠３を測距範囲まで移動させる。
【００２６】
Ｓｔｅｐ４とＳｔｅｐ５とで示されるように、測距範囲にフォーカシング用鏡枠３が到達したならば、カメラＣＰＵ４において、自動でマニュアルフォーカス操作からオートフォーカス操作に切り換る処理が行われ、オートフォーカス操作に切り換り、オートフォーカス操作が開始される。また、測距範囲に到達しないならばＳｔｅｐ４からＳｔｅｐ３に戻る。
【００２７】
オートフォーカス操作に切り換った後、
カメラ本体１に配設された撮像素子に結像されている被写体の像の信号が撮像素子からカメラＣＰＵ４内にあるオートフォーカス処理部４ｂに送出される。
【００２８】
カメラＣＰＵ４のオートフォーカス処理部４ｂは、結像された被写体の像の信号から高周波成分を抽出して、この像のコントラストを表すオートフォーカス評価値の信号を発生し、記憶する。
【００２９】
従って、Ｓｔｅｐ６で示されるように、オートフォーカス処理部４ｂは測距範囲を走査する処理を行い、フォーカシング用鏡枠３をこの測距範囲で移動させながら、オートフォーカス評価値の信号をフォーカシング用鏡枠３の移動した位置に対応させて記憶する。
【００３０】
Ｓｔｅｐ７で示されるように、Ｓｔｅｐ６で記憶したオートフォーカス評価値を基に、略合焦したと判断できる範囲を合焦範囲とし、この合焦範囲を検出する。
【００３１】
次に、Ｓｔｅｐ８とＳｔｅｐ９とで示されるように、合焦範囲においてオートフォーカス評価値が最適となる点が存在するならば、この点を合焦点と決定し、自動でフォーカシング用鏡枠３をこの合焦点に停止させ、フォーカシング操作終了となる。
【００３２】
また、Ｓｔｅｐ８とＳｔｅｐ１０とで示されるように、この合焦範囲にオートフォーカス評価値が最適となる点が存在しないならば、この合焦範囲内の最至近位置側にフォーカシング用鏡枠３を停止させ、フォーカシング操作終了となる。
【００３３】
これにより、マニュアルフォーカスモードにおいて、マニュアルフォーカス操作でおおまかなフォーカシング操作を行った後、オートフォーカス操作のサポートにより微小な合焦操作が行われるため、精度の高い合焦点を得ることが可能となる。
【００３４】
フォーカシング操作終了後、これに引き続いてシャッターボタン１ａを全押しすると、撮影動作が開始される。撮影動作としてはシャッターが撮影者が設定した速度で開閉し、撮像光学系からの被写体の像がそのまま撮像素子に結像される。この結像された被写体の画像データは画像記録装置に記録される。また、その画像データは画像処理部に取り出され、前述の画像処理を施された後、再び画像記録装置に記録される。さらに、その画像データはメモリカード等の電子記録媒体へも記録される。
【符号の説明】
【００３５】
１  カメラ本体
１ａ  シャッターボタン
１ｂ  電源用ボタン
１ｃ  モードダイヤル
１ｄ  フォーカシング用ダイヤル
１ｅ  液晶モニター
１ｆ  レンズ鏡筒
２  フォーカシング用モータ
３  フォーカシング用鏡枠
４  カメラＣＰＵ
４ａ  マニュアルフォーカス処理部
４ｂ  オートフォーカス処理部
５  ドライバ
【図１】
2010175928.tif 000003
【図２】
2010175928.tif 000004
【図３】
2010175928.tif 000005
【図４】
2010175928.tif 000006
【図５】
2010175928.tif 000007